(57)【要約】本発明は、風力タービン塔に要素を装着する方法に関わる。  磁気吸引力により要素を部分的にあるいは完全に風力タービン塔（１０、１１、１２、１３、１４）に取り付ける。本発明によれば、風力タービンの懸架ユニットは磁気吸引力により風力タービン塔に、好ましくは完全にあるいは部分的にその内壁に取り付けられ、構造を弱化させる塔または塔の一部に対する取付を回避することができる。
2005517124.tif 000002
【特許請求の範囲】
【請求項１】
風力タービン塔（１０、１１、１２、１３、１４）に要素を装着する方法において、該要素は磁気吸引力により部分的にあるいは完全に風力タービン塔（１０、１１、１２、１３、１４）に取り付けられる方法。
【請求項２】
請求項１に記載の風力タービン塔に要素を装着する方法において、前記磁気吸引力は、永久磁石材料が他の磁性材料と相互作用することにより確立する方法。
【請求項３】
請求項１または２に記載の風力タービン塔に要素を装着する方法において、前記磁気吸引力は懸架ユニット（２０；６０）に含まれる永久磁石材料により確立し、永久磁石材料は風力タービン塔の少なくとも一部を形成する他の磁性材料と相互作用する方法。
【請求項４】
請求項１乃至３のいずれかに記載の風力タービン塔に要素を装着する方法において、前記磁気吸引力は少なくとも一方向において機械的固定により補強される方法。
【請求項５】
請求項１乃至４のいずれかに記載の風力タービン塔に要素を装着する方法において、少なくとも一方向における前記機械的固定は、固定領域（３１、３２）への機械的固定により確立され、該固定領域は風力タービン塔の鉛直方向に互いから一定の間隔を置いて配設される方法。
【請求項６】
請求項１乃至５のいずれかに記載の風力タービン塔に要素を装着する方法において、少なくとも一方向における前記機械的固定は固定領域（３１、３２）への機械的固定により確立され、該固定領域は風力タービン塔の鉛直方向に互いから一定の間隔を置いて配設され、該間隔は風力タービン塔のセクション（１１、１２、１３、１４）のほぼ鉛直の長さである方法。
【請求項７】
請求項１乃至６のいずれかに記載の風力タービン塔に要素を装着する方法において、前記固定領域は、風力タービン塔のセクション（１１、１２、１３、１４）を接合するようにされたフランジ（１３１、１４２）を含む方法。
【請求項８】
請求項１乃至７のいずれかに記載の風力タービン塔に要素を装着する方法において、該要素ははしご、またははしごの一部を含む方法。
【請求項９】
請求項１乃至８のいずれかに記載の風力タービン塔に要素を装着する方法において、該要素は、ケーブルまたはケーブルの一部を含む方法。
【請求項１０】
請求項１乃至９のいずれかに記載の風力タービン塔に要素を装着する方法において、該要素は照明手段を含む方法。
【請求項１１】
請求項１乃至１０のいずれかに記載の風力タービン塔に要素を装着する方法において、該要素は風力タービン塔の内部で必要とされる要素を含む方法。
【請求項１２】
請求項１乃至１１のいずれかに記載の風力タービン塔に要素を装着する方法において、該要素は少なくとも１つの風力塔の懸架ユニット（２０；６０）を使って懸架される方法。
【請求項１３】
請求項１乃至１２のいずれかに記載の風力タービン塔に要素を装着する方法において、前記風力タービン塔の懸架ユニット（２０；６０）は磁気的取付手段（２４）を含む方法。
【請求項１４】
請求項１乃至１３のいずれかに記載の風力タービン塔に要素を装着する方法において、前記磁気的取付手段（２４）は永久磁石材料を含む方法。
【請求項１５】
請求項１乃至１４のいずれかに記載の風力タービン塔に要素を装着する方法において、前記永久磁石材料は永久ネオジム磁石を含む方法。
【請求項１６】
請求項１乃至１５のいずれかに記載の風力タービン塔に要素を装着する方法において、前記永久磁石材料は永久サマリウム−コバルト磁石を含む方法。
【請求項１７】
請求項１乃至１６のいずれかに記載の風力タービン塔に要素を装着する方法において、前記風力タービン塔の懸架ユニット（２０；６０）は機械的固定手段（２２；６２）を備える方法。
【請求項１８】
請求項１乃至１７のいずれかに記載の風力タービン塔に要素を装着する方法において、前記風力タービン塔の懸架ユニット（２０；６０）は、前記磁気的取付手段（２４）を完全にあるいは部分的に包封する少なくとも１つの隔壁（２３）を備える方法。
【請求項１９】
請求項１乃至１８のいずれかに記載の風力タービン塔に要素を装着する方法において、前記隔壁（２３）は磁気手段（２４）への湿度の侵入を防止する方法。
【請求項２０】
請求項１乃至１９のいずれかに記載の風力タービン塔に要素を装着する方法において、前記ユニットは少なくとも一つの第１の方向の機械的引力を受ける手段と、少なくとも一つの他の方向の磁気吸引力を確立させる手段とを具備し、該少なくとも一つの他の方向は該少なくとも一つの第１の方向に対してほぼ垂直である方法。
【請求項２１】
請求項１乃至２０のいずれかに記載の風力タービン塔に要素を装着する方法において、前記ユニットははしご固定手段を備え、本発明のさらに有利な実施形態が得られる方法。
【請求項２２】
請求項１乃至２１のいずれかに記載の風力タービン塔に要素を装着する方法において、前記ユニットは踊り場固定手段を備え、本発明のさらに有利な実施形態が得られる方法。
【請求項２３】
請求項１乃至２２のいずれかに記載の風力タービン塔に要素を装着する方法において、前記ユニットはケーブル固定手段を備え、本発明のさらに有利な実施形態が得られる方法。
【請求項２４】
請求項１乃至２３のいずれかに記載の風力タービン塔に要素を装着する方法において、前記ユニットは照明手段を備え、本発明のさらに有利な実施形態が得られる方法。
【請求項２５】
請求項１乃至２４のいずれかに記載の懸架ユニットを装着する方法において、該ユニットはコンピュータ制御の位置決めシステムにより少なくとも１つの風力タービン塔部分に取り付けられる方法。
【請求項２６】
磁気的取付手段（２４）を含む風力タービン塔の懸架ユニット（２０；６０）。
【請求項２７】
請求項２６に記載の風力タービン塔の懸架ユニット（２０；６０）において、前記磁気的取付手段（２４）は永久磁石材料を含む懸架ユニット。
【請求項２８】
請求項２６または２７に記載の風力タービン塔の懸架ユニット（２０；６０）において、前記永久磁石材料は永久ネオジム磁石を含む懸架ユニット。
【請求項２９】
請求項２６乃至２８のいずれかに記載の風力タービン塔の懸架ユニット（２０；６０）において、前記永久磁石材料は永久サマリウム−コバルト磁石を含む懸架ユニット。
【請求項３０】
請求項２６乃至２９のいずれかに記載の風力タービン塔の懸架ユニット（２０；６０）において、該風力タービン塔の懸架ユニット（２０；６０）は機械的固定手段（２２；６２）を備える懸架ユニット。
【請求項３１】
請求項２６乃至３０のいずれかに記載の風力タービン塔の懸架ユニット（２０；６０）において、前記風力タービン塔の懸架ユニット（２０）は、前記磁気的取付手段（２４）を完全にあるいは部分的に包封する少なくとも１つの隔壁（２３）を備える懸架ユニット。
【請求項３２】
請求項２６乃至３１のいずれかに記載の風力タービン塔の懸架ユニット（２０；６０）において、前記隔壁（２３）は磁気手段（２４）へ湿度が侵入しないようにする懸架ユニット。
【請求項３３】
請求項２６乃至３２のいずれかに記載の風力タービン塔の懸架ユニット（２０；６０）において、該ユニットは少なくとも一つの第１の方向における機械的引力を受ける手段と、少なくとも一つの他の方向の磁気吸引力を確立させる手段とを含み、該少なくとも一つの他の方向は該少なくとも一つの第１の方向に対してほぼ垂直である懸架ユニット。
【請求項３４】
請求項２６乃至３３のいずれかに記載の風力タービン塔の懸架ユニット（２０；６０）において、該ユニットははしご固定手段を備え、本発明のさらに有利な実施形態が得られる懸架ユニット。
【請求項３５】
請求項２６乃至３３のいずれかに記載の風力タービン塔の懸架ユニット（２０；６０）において、該ユニットは踊り場固定手段を備え、本発明のさらに有利な実施形態が得られる懸架ユニット。
【請求項３６】
請求項２６乃至３３のいずれかに記載の風力タービン塔の懸架ユニット（２０；６０）において、該ユニットはケーブル固定手段を備え、本発明のさらに有利な実施形態が得られる懸架ユニット。
【請求項３７】
請求項２６乃至３３のいずれかに記載の風力タービン塔の懸架ユニット（２０；６０）において、該ユニットは照明手段を備え、本発明のさらに有利な実施形態が得られる懸架ユニット。
【請求項３８】
相互に取付可能な部材からなるシステムであって、少なくとも１つの磁性風力タービン塔部分と、少なくとも１つの懸架ユニット（２０；６０）とを備え、該少なくとも１つの懸架ユニット（２０；６０）は少なくとも１つの永久磁石部分（２４）を含み、該少なくとも１つの永久磁石部分（２４）は、少なくとも１つの懸架ユニット（２０；６０）を該少なくとも１つの風力タービン塔部分へ磁気的に取り付けることを容易にするシステム。
【請求項３９】
請求項３８に記載のシステムにおいて、前記少なくとも１つの磁性風力タービン塔部分は塔（１１、１２、１３、１４；１０）を構成するシステム。
【請求項４０】
請求項３８または３９に記載のシステムにおいて、前記風力タービン塔部分は磁性材料である磁性鋼により構成されるシステム。
【請求項４１】
請求項３８乃至４０のいずれかに記載のシステムにおいて、前記少なくとも１つの永久磁石部分（２４）はネオジム磁石材料かサマリウム−コバルト磁石材料を含むシステム。
【請求項４２】
請求項３８乃至４１のいずれかに記載のシステムにおいて、該システムは、請求項２６乃至３８のいずれかに記載の少なくとも１つの懸架ユニット（２０；６０）を備えるシステム。
【請求項４３】
請求項３８乃至４２のいずれかに記載のシステムにおいて、前記塔は少なくとも２つの塔セクション（１１、１２、１３、１４）を含むシステム。
【請求項４４】
請求項３８乃至４３のいずれかに記載のシステムにおいて、少なくとも１つの前記塔セクションは機械的取付領域（１３１、１４２）を含み、機械的取付領域（１３１、１４２）は該少なくとも１つの塔セクションの上方及び下方部位に配設されるシステム。
【請求項４５】
請求項３８乃至４４のいずれかに記載のシステムにおいて、少なくとも１つの前記機械的取付領域（１３１、１４２）は、少なくとも１つの懸架ユニット（２０；６０）の機械的取付けと、該少なくとも１つの前記機械的取付領域（１３１、１４２）への懸架とを促進するシステム。
【請求項４６】
請求項３８乃至４５のいずれかに記載のシステムにおいて、少なくとも２つの前記機械的取付領域（１３１、１４２）は、少なくとも１つの懸架ユニット（２０；６０）の機械的取付と、該少なくとも２つの前記機械的取付領域（１３１、１４２）間における懸架とを促進するシステム。
【発明の詳細な説明】
【技術分野】
【０００１】
本発明は風力タービン塔に要素を装着する方法に関する。
【背景技術】
【０００２】
一般に、風力タービン塔は、風力タービンのナセルとローターとを担持して、ローターに所望の回転をさせ、また、一般的に地面からの高さにしたがって増大する風速を利用するため、ローターを地面からできるだけ高い位置へ設置するものである。
【０００３】
風力タービン塔はいろいろな原理により、例えば管状鋼塔、格子塔として、またコンクリート塔としても構築することができる。
最も大きな風力タービンは、両端部にフランジの付いた２０乃至３０ｍのセクションとして製造された管状鋼塔が供給された後、現場でボルト締結される。塔は、強度増強と材料節約のため、一般に錐体をなしている。
【０００４】
鋼塔は標準的には、踊り場、はしご、照明手段、電線、昇降機などを備えた内部を備えている。これらの構成要素は鋼塔セクションの内側表面に溶接されるか、または塔に溶接及び／またはボルト締結されている取付具にそのまま取り付けられる。
【発明の開示】
【発明が解決しようとする課題】
【０００５】
上述した風力タービン塔に関連する幾つかの問題の１つは、はしご、電線などの特に内部の塔構成要素を溶接したりボルト締結することが、塔の構造を弱めることである。
場合によっては、この問題を比較的高価な対策を講じることで補強することができるが、この対策は今度はどんな補強もできない重大な構造的制約を含むことにつながることになる。
【課題を解決するための手段】
【０００６】
本発明は風力タービン塔（１０、１１、１２、１３、１４）に要素を装着する方法に関し、これにより前記要素は磁気吸引力によって部分的にあるいは完全に風力タービン塔（１０、１１、１２、１３、１４）に取り付けられる。
【０００７】
本発明によれば、風力タービンの懸架ユニットを磁気吸引力により風力タービン塔に、好ましくは完全にあるいは部分的にその内壁に取り付けることにより、構造を弱化させる塔または塔の一部への取付を回避できる。
本発明によれば、風力タービン塔は多数の塔のセクションから構成できる。
【０００８】
前記磁気吸引力を、永久磁石材料と他の磁性材料との相互作用により確立させると、本発明のさらに有利な実施形態が得られた。
永久磁石材料は比較的安定であり、必要な吸引力は割合長期間にわたり維持できる。
前記磁気吸引力を、懸架ユニット（２０；６０）に含まれる永久磁石材料の風力タービン塔の少なくとも一部分を形成する磁性材料との相互作用で確立させると、本発明のさらに有利な実施形態が得られた。
【０００９】
風力タービン塔が鋼などの磁性材料から成る場合、本発明の懸架ユニットは有利に永久磁石を設けることができる。
本発明の好ましい実施形態によれば、前記要素は風力タービン塔の内部で必要とされる要素から成る。換言すれば本発明は、はしご、照明手段、電線など法律や公的勧告により塔に要求される各要素について、特に好都合である。つまり殆どの他の種類の要素は必要に応じて回避したり、また例えば２つの塔セクションの接合個所で簡単に塔に取り付けることもできる。
前記磁気吸引力が少なくとも一方向の機械的固定により補足されるとき、本発明のさらに有利な実施形態が得られた。
【００１０】
本発明によれば、懸架ユニットの典型的な応用は「複合懸架」とみなすことができる。つまり、横の懸架力を扱うために主として磁力が使われ、鉛直懸架、すなわち懸垂構造物の典型的な重力起因力は主として機械的懸架力で対応する。
所望の取付に利用可能な磁気吸引力さえ十分であれば、幾つかの懸架ユニットに磁気吸引力に基づく懸架を応用できることは明らかである。
少なくとも一方向の前記機械的固定が、風力タービン塔のほぼ鉛直方向に配設されている各固定領域（３１、３２）への機械的固定により確立すると、本発明のさらに有利な実施形態が得られた。
【００１１】
本発明によれば、風力タービン塔の構成要素を機械的にタービン塔または、風力タービン塔の各セクションの端点間で懸架することにより、普通溶接により引き起こされる風力タービン塔の弱化を回避できる。
磁気的取付手段はこのとき、機械的取付が不適切または不可能な領域で機械的懸架を補強することができる。
【００１２】
少なくとも一方向の前記機械的固定を、各固定領域（３１、３２）に機械的に固定することにより確立し、前記各固定領域を風力タービン塔の鉛直方向に一定間隔で配設し、前記間隔が風力タービン塔のセクション（１１、１２、１３、１４）のほぼ鉛直の長さとなるとき、本発明のさらに有利な実施形態が得られた。
【００１３】
前記固定領域が、風力タービン塔のセクション（１１、１２、１３、１４）を接合するようにされたフランジ（１３１、１４２）を含むとき、本発明のさらに有利な実施形態が得られた。
前記要素が少なくとも１つの風力塔の懸架ユニット（２０；６０）を使って懸架されるとき、本発明のさらに有利な実施形態が得られた。
【００１４】
したがって磁気的吸引力は、風力タービン塔の壁部と、要素例えばはしごとを「橋渡し」するようにされたユニットを使って成立させることができる。明らかに、そのようなユニットは、被懸架要素、例えばはしごなど、の部品として本発明の範囲内に組み入れることができる。
本発明によれば、この懸架方法は程度の差はあるが従来の風力塔や塔セクションに応用できる。
さらに、本発明は、磁気的取付手段（２４）を有する風力タービン塔の懸架ユニット（２０；６０）にも関する。
【００１５】
本発明によれば、風力タービンの懸架ユニットを磁気吸引力により風力タービン塔に、好ましくは完全にあるいは部分的にその内壁に取り付けることができる。
本発明によるユニットは、はしご、はしご部分、照明手段、昇降機、踊り場、電線などの風力タービン塔の内装品を取り付けるために、有利に応用できる。
本発明により、非破壊取付による所望の取付ができるため、改善された懸架が得られた。特に、構成要素や取付物を塔の表面に取り付けるとき、塔や塔モジュールの物性は実質的に影響を受けることはない。
【００１６】
さらに、構造を弱化する接合加工を回避、又は最小化すると、例えば管状鋼塔に用いられる鋼の量は有効的に減らすことができる。
前記磁気的取付手段（２４）が永久磁石材料を使って構成されると、本発明のさらに有利な実施形態が得られた。
【００１７】
好ましい実施形態によれば、永久磁石材料は少なくとも１つの異方性磁石から成る。
前記永久磁石材料が永久ネオジム磁石から成るとき、本発明のさらに有利な実施形態が得られた。
本発明の好ましい実施形態によれば、ネオジム磁石は他の既存の磁性材料と比べて強力な磁気吸引を特徴とするために、これらの磁石が利用される。
前記永久磁石材料が永久サマリウム−コバルト磁石から成るとき、本発明のさらに有利な実施形態が得られた。
前記風力タービン塔の懸架ユニット（２０；６０）が機械的固定手段（２２、６２）を備えるとき、本発明のさらに有利な実施形態が得られた。
【００１８】
本発明によれば、応用される磁石は、装架中においてもまた例えば温度、湿度などの通常の変動においても、好ましくは比較的高い磁気エネルギーレベルと耐消磁性を特徴とすべきであり、つまりいろいろな環境においても磁気特性を維持すべきである。
内部要素は次いで従来の取付処理により、機械的固定手段に取り付けることができる。
前記風力タービン塔の懸架ユニット（２０）が、前記磁気的取付手段（２４）を包封する少なくとも１つの隔壁（２３）を備えるとき、本発明のさらに有利な実施形態が得られた。
前記隔壁（２３）が磁気的手段（２４）へ湿度を侵入させないようにすると、本発明のさらに有利な実施形態が得られた。
【００１９】
本発明によれば、磁石材料へ湿度を侵入させないようにすることで特に永久磁石材料の劣化を簡単に回避できる。
前記隔壁層がゴムから成るとき、本発明のさらに有利な実施形態が得られた。
前記ユニットが少なくとも一つの第１の方向の機械的引力を受け止める手段と、少なくとも一つの第２の方向の磁気吸引力を確立させる手段とを備え、前記少なくとも一つの他の方向が前記少なくとも一つの第１の方向に対してほぼ直角であるとき、本発明のさらに有利な実施形態が得られた。
前記ユニットがはしご固定手段を備えるとき、本発明のさらに有利な実施形態が得られた。
前記ユニットが踊り場固定手段を備えるとき、本発明のさらに有利な実施形態が得られた。
前記ユニットがケーブル固定手段を備えるとき、本発明のさらに有利な実施形態が得られた。
前記ユニットが照明手段を備えるとき、本発明のさらに有利な実施形態が得られた。
前記ユニットが標準的な機械的締結手段を受ける機械的取付具を備えるとき、本発明のさらに有利な実施形態が得られた。
【００２０】
さらに本発明は、懸架ユニットがコンピュータ制御の位置決めシステムにより少なくとも１つの風力タービン塔部分に取り付けられる懸架ユニットを装着する方法に関する。
さらに本発明は、懸架ユニットを取付位置に位置決めする際、電磁的に発生した磁界が懸架ユニット全体の、または一部の一時的消磁に利用される懸架ユニットを装着する方法に関する。
さらに、本発明は、電磁的に発生した磁界が懸架ユニット全体の、または一部の一時的消磁に利用されることにより、小さな取外しの力で懸架ユニットの取外しが容易になる懸架ユニットを取り外す方法に関する。
さらに、本発明は、電磁的に発生した磁界が懸架ユニット全体の、または一部の一時的消磁に利用されることにより懸架ユニットの再配置が容易になる懸架ユニットを再配置する方法に関する。
さらに、本発明は互いに取付可能な部材からなるシステムにも関する。前記システムは少なくとも１つの磁性風力タービン塔部分と、少なくとも１つの懸架ユニット（２０；６０）とを含み、該少なくとも１つの懸架ユニット（２０；６０）は少なくとも１つの永久磁石部分（２４）を含み、該少なくとも１つの永久磁石部分（２４）は、少なくとも１つの懸架ユニット（２０；６０）を該少なくとも１つの磁性風力タービン塔部分へ磁気的に取り付けることを容易にする。
【００２１】
前記少なくとも１つの磁性風力タービン塔部分が風力タービン塔（１１、１２、１３、１４；１０）から成るとき、本発明のさらに有利な実施形態が得られた。
前記風力タービン塔部分が磁性材料である磁性鋼から成るとき、本発明のさらに有利な実施形態が得られた。
前記磁性鋼がスチールＳ２３５ＪＲ，ＪＯ，Ｊ２Ｇ３やＳ３５５ＪＯ、あるいはＪ２Ｇ３から成るとき、本発明のさらに有利な実施形態が得られた。
【００２２】
本発明による永久磁石から成る懸架ユニットは、上述材料への固定に適している。
前記少なくとも１つの永久磁石部分（２４）が、ネオジム磁石材料やサマリウム−コバルト磁石材料から成るとき、本発明のさらに有利な実施形態が得られた。
前記システムが請求項８乃至２１のいずれかに記載の少なくとも１つの懸架ユニット（２０；６０）から成るとき、本発明のさらに有利な実施形態が得られた。
前記塔が少なくとも２つの塔のセクション（１１、１２、１３、１４）から成るとき、本発明のさらに有利な実施形態が得られた。
【００２３】
少なくとも１つの前記塔セクションが錐体をなすとき、本発明のさらに有利な実施形態が得られた。
少なくとも１つの前記塔セクションが、前記少なくとも１つの塔セクションの上方及び下方部位に配設される機械的取付領域（１３１、１４２）を含むとき、本発明のさらに有利な実施形態が得られた。
少なくとも１つの前記機械的取付領域（１３１、１４２）が、少なくとも１つの懸架ユニット（２０；６０）の機械的取付けと、前記少なくとも１つの前記機械的取付領域（１３１、１４２）への懸架とを容易にするとき、本発明のさらに有利な実施形態が得られた。
少なくとも２つの前記機械的取付領域（１３１、１４２）が、少なくとも１つの懸架ユニット（２０；６０）の機械的取付と、前記少なくとも２つの前記機械的取付領域（１３１、１４２）間における懸架とを容易にするとき、本発明のさらに有利な実施形態が得られた。
【発明を実施するための最良の形態】
【００２４】
次に本発明を図面を参照しながら詳細に説明する。
最大の風力タービンは、両端部にフランジの付いた２０乃至３０ｍのセクションとして製造された管状鋼塔が供給され、現場でボルト締結される。塔は、強度増強と材料節約のため、錐体（すなわち直径が底面に向って広がる）をなしている。
風力タービン塔の製造費は、風力タービン全体の組立製作費用と比べて比較的高い。さらに、特に塔がおおよそ５０ｍを超えると、高さに比例して費用は高くなる。
したがって、エネルギーの最終コストに対してできるだけ最適に塔を建造することがとても重要となる。
【００２５】
図１ａは典型的な風力タービンを示している。風力タービンは基礎によって地上に建てられた塔１０を含む。塔１０はナセル１とローター２とを支持している。
今日、最も近代的な風力タービン塔は錐体の管状鋼塔である。
図１ｂはそのような管状鋼塔の断面を例示している。
図示した風力タービン塔１０は多くの錐体塔セクション１１、１２、１３、１４を含む。セクション１１、１２、１３、１４の長さはそれぞれｈ１、ｈ２、ｈ３、ｈ４である。
塔全体は錐体をなし、各セクション１１、１２、１３、１４も錐体で、上方の直径がｄ１、下方の直径がｄ４である。
【００２６】
したがって塔は、切断され適切な形状に成型された後、互いに溶接接合される、これらの小さな錐体小セクション１１、１２、１３、１４から組み立てることができる。
塔のセクション１１、１２、１３、１４は、通常ｈ１、ｈ２、ｈ３、ｈ４＝２０乃至３０ｍのセクションで製造されるが、道路や鉄道などによる輸送が制限要因となる。
【００２７】
図示した塔セクション１１、１２、１３、１４は両端にフランジ１３１、１４２を備え、現場で一緒にボルト締結することができる。強度増強と材料節約のため、塔は錐体（すなわち直径が底面に向って大きくなる）をなしている。
一般に、近代的な塔の重さは、４４ｍのローター直径を持つタービン（例えば６００ｋＷの風力タービン）に適した５０ｍの塔が４０メトリックトン、７２ｍのローター直径に適した６０ｍの塔（例えば２０００ｋＷの風力タービン）が８０メトリックトンである。
【００２８】
図示した塔を８０（八十）メトリックトンの塔としてもよい。下方及び上方の直径ｄ４、ｄ１は例えばそれぞれおよそ４．２ｍ、２．３ｍとしてもよい。
強調すべきは、図示した風力タービン塔と説明のための直径の選択が、決して本発明を図示した塔に制限するものではないということである。
【００２９】
図１ｃは２つのセクション１３、１４の接合の詳細を示している。
塔セクション１３の下方フランジ１３１は塔セクション１４の上方フランジ１４２にボルト締結される。その他のセクションも同様に接合できることは明らかである。
図１ｂで上述した塔の内部構成要素は、一般に踊り場１１１０、１１２０、１１３０、１１４０と、はしご１１１、１１２、１１３、１１４と、照明手段１２１、１２２、１２３と、電線（図示せず）と、昇降機（図示せず）と、その他（図示せず）とから構成することができる。
【００３０】
内部構成要素は、塔の内面に装着された適当な取付具などを使って塔に取り付けられる。
踊り場１１１０、１１２０、１１３０、１１４０は、塔の取付具の組立接合個所、例えば塔セクション１１、１２、１３、１４の上下のフランジ、近くに配置された取付領域に例えば懸架されてもよい。
踊り場はこれらの接合点例えばフランジに、下端部が踊り場に上端部がフランジに固定されたワイヤを使って簡単に取り付けることができる。このようにして鉛直に、踊り場は機械的にフランジに取り付けられ、ワイヤに懸垂する。一方、踊り場は永久磁石の懸架ユニットを含み、このユニットが踊り場の非鉛直励磁力に対して踊り場を磁気的に固定する。
【００３１】
図２ａは風力タービンの懸架ユニット２０を示し、これは本体２１と、機械的構造物を適当な固定手段で固定できる機械的結合可能部材すなわち部分２２とを含む。
図示したユニットの本体２１の寸法は例えばおよそ２００ｍｍｘ５０ｍｍｘ２５ｍｍ、重さはおよそ１／２キログラムとしてもよい。
【００３２】
図２ｂは上述した風力タービン塔の懸架ユニット２０の断面を示している。
ユニットは、１つあるいは一群の磁石を備えた磁石２４を含む。磁石は永久磁石である。
以下詳細にこの磁石の特性を述べる。
磁石２４は例えばゴムの隔壁材２３により包封されている。
有利的には、隔壁材は比較的高い摩擦係数の特徴をなすべきである。そうすれば磁力によりユニットを塔の内面に取り付ける際、ユニットと塔の内面との横の保存力が最大となる。
隔壁材は湿度とほこりとから磁石を防護し、磁石の腐食やその他物理的劣化を防止する。
【００３３】
さらに、機械的連結可能部材または部分２２は、ユニットの本体に固定される。この場合、磁石と部材すなわち部分２２とはユニットの外部に延在し、端部にボルト、例えばＭ１０ｘ３０を形成する。
ボルト２２は適当なナットに嵌着されてもよく、これにより適当な取付具がユニットに固定される。
ゴム封止部の下方部分は、可能な最大の吸引力を得るためかなり薄くしてあることに留意されたい。
【００３４】
図２ｃは本発明の別の実施形態を示している。
図示した懸架ユニット２００は、ネオジムなどの永久磁石２４とガルヴァニック接触（ｇａｌｖａｎｉｃ  ｃｏｎｔａｃｔ）するように配置されたＵ字型鋼カバー２５０を備えている。組立体は上方シール２３０を具備している。シールには、下地の面と係合するようにされたリップ２３１が設けられており、これが装着されると磁石２４の周りに気密で防水性の封止部が設けられる。
磁石のＵ字型は下地面への改善された磁気的結合をもたらす。
明らかに、他の標準型磁石形状も本発明の範囲内で応用可能である。
【００３５】
図２ｄは本発明の別の実施形態を示し、ここでは懸架ユニット２００はＵ字型磁気伝導カバー２５０を設けた磁石２４を備えている。
ユニット２００が磁気的に表面２３２に取り付けられると、組立体全体は結果として適当な封止手段２３１、例えばテクタイル（tectyle）などにより覆われる。
【００３６】
図３は本発明の有利な実施形態を示している。
図面は図１ｂに示した塔セクション１３の断面を示す。図示した実施形態によれば、はしご１１３は風力タービン塔のセクション１３の内側表面３０に固定される。
はしごは塔セクションに対する２つの掛け具、つまり上方の機械式掛け具３１と下方の機械式掛け具３２とに機械的に懸架される。
ボルト止めや溶接などでも、例えばはしごを塔に架けることができる。
【００３７】
さらに、はしごは例えば図２ａ及び図２ｂに示した多数の風力タービンの懸架ユニット２０やそれらの代替品を使って塔に懸架される。
ユニット２０は、ユニット２０の磁石で確立される磁力により内側表面に取り付けられ、はしごは例えばユニット２０の取付具２２を使ってユニット２０に取り付けることができる。
基本的には、鉛直方向における主たる固定は、塔つまり塔セクション３１の上方フランジ１３２及び下方フランジ１３１への機械的な端点固定により得られ、横方向（非鉛直方向）の固定はユニット２０により磁気的に得られる。
【００３８】
図示した実施形態によれば、鉛直の機械的応力が塔への従来の機械的取付、例えば溶接及び／またはボルト止めにより主として生じ、はしご３１の固定は主に塔セクション１３の内側表面３０への磁気的固定により得られる。
懸架ユニット２０の鉛直方向の間隔は例えば０．５ｍと４ｍの間でもよいが、固定の要件による。
好ましい鉛直方向の間隔は１．５乃至２．３ｍである。
本発明による懸架ユニットは、図示したはしご以外にその他幾多の内部構成要素の固定にも応用できることは明らかである。
【００３９】
本発明の更なる実施形態によれば、はしご構造は、例えば上述した提供により塔に固定でき、さらにランプ、電線などの別の内部構成要素も同時に従来の取付機構や溶接、ボルト止めなどによりはしご構造それ自体に固定できる。
図４は本発明の別の実施形態を示す。ここでは（例えばはしご、踊り場取付具などの）管４１が取付具４２を備えている。取付具４２は懸架ユニットのボルト２２に嵌着されたナット（図示せず）を使って懸架ユニット２０に、取り付けられる。
【００４０】
ユニット２０は下地面、例えば上述した鋼塔セクションの壁部内面に磁気的に誘引され、それにより、下地面と管４１との間の垂直力により取付が確立される。
さらに留意すべきは、この取付けは、取付具４２と懸架ユニット２０のボルト２２との間に、図示した矢印方向の許容範囲が拡がる。
懸架ユニット２０を本発明で提案した方法により塔に取り付けると、許容量の緩和によりある程度の許容性がもたらされる。
【００４１】
図５ａは本発明のさらに別の実施形態を示している。
図示した懸架ユニット６０は本体６１と２つのボルト６２とを含む。
基本的に、図示した懸架ユニット６０は、図２ｂの単一のボルト型ユニットで概説した原理により構成されている。
【００４２】
図５ｂは懸架ユニット６０に対する例えば鋼棒材６５の取り付けを示している。
鋼棒材６５は機械的に適当な取付具６６によりナット（図示せず）を使って懸架ユニット６０に固定される。
留意すべきは図示した組立体が、矢印で示した「鉛直」と「水平」の両方向にある程度の許容性が特徴づけられることである。
【００４３】
図６ａ及び６ｂは、本発明の懸架ユニット６０を磁気面（図示せず）、例えば鋼の風力タービン塔に装着する方法を示している。
最初に、図６ａにおいて懸架ユニットを例えば鋼の表面に配置する。下地面と懸架ユニット６０との間にナイロンの薄板６５を置く。薄板の厚さと比較的小さい摩擦力とのため、懸架ユニット６０と薄板６５とを比較的容易に正確な所望位置に動かすことができる。
図６ｂでは、所望の位置に達して薄板６５が取り外されたため、強い装着力が得られている。
【００４４】
図７ａ及び７ｂは、本発明の１実施形態の取付において懸垂要素９０に作用する主な力の方向ＦＶ及びＦＮを示している。
鉛直方向の機械的固定により、懸架される内部構造物は塔に関して、少なくとも重力に対して確実に固定される。これらの力は主に鉛直力ＦＶとして扱われる。基本的に、鉛直力は主としていわば従来の機械的取付で処理されるべきである。
【００４５】
さらに、磁気的懸架は、図示した横方向に作用する垂直力ＦＮにより懸垂要素の横方向の固定をもたらす。懸架ユニット及び対応する塔の磁性部分との間に摩擦部材を使用すると、なおいっそうこの垂直力ＦＮを十分に活用することができる。したがって、垂直力ＦＮと摩擦力とのよく知られた関係により横の力が成立し、例えば踊り場やはしご掛け具の例えば回転運動（接線方向の運動ｔｍ）が阻止される。
図８は各種永久磁石材料の幾つかの特性を示している。
【００４６】
示した略図は６つのグループの磁気材料Ｇ１乃至Ｇ６の、およそ摂氏２０度の温度における特性を示している。
Ｘ軸はＨｃＪ（保磁力［ｋＡ／ｍ］を表し、Ｙ軸は最大エネルギー積|ＢＨ|max ［ｋＪ／ｍ３］を表す。 
|ＢＨ|maxは材料のエネルギーポテンシャルを表し、ＨｃＪは消磁場（ｄｅ−ｍａｇｎｅｔｉｚｉｎｇ  ｆｉｅｌｄ）に抵抗する材料の能力を表す。
グループＧ１はいわゆるネオジム磁石ＮｄＦｅＢを含む。ネオジム磁石は市場での最も強力な永久磁石の一部である。
グループＧ２及びＧ３は、温度の変化に対する高い安定性で特徴づけられるＳｍｘＣｏｙ磁石を含む。グループＧ２はＳｍ２Ｃｏ１７、グループＧ３はＳｍＣｏ５である。
グループＧ４はいわゆる低Ｈｃ  ＳｍｘＣｏｙ磁石であるＳｍ２Ｃｏ１７の別のグループである。
グループＧ５は一群のプラスチック混合のネオジム磁石材料ＮｄＦｅＢを含む。
最後に、グループＧ６はアルニコやＦｅＳｒ／ＦｅＢａ材料など、より伝統的な磁石材料を含む。
【００４７】
各種の磁石材料は本発明による懸架ユニットに応用できる。
本発明の好ましい実施形態によれば、応用される永久磁石材料は主に高いエネルギーポテンシャル|ＢＨ|maxを特徴とする材料から選択される。したがって、本発明の好ましい実施形態によれば、材料はグループＧ１、すなわちネオジム磁石から選ばれる。
例えば温度変化が重要となる場合、サマリウム−コバルト磁石が好ましいことは明らかである。
本発明によれば懸架ユニットは、例えばいろいろなグループの磁石を含むユニットにより組み合せて、余裕度を持たせることができる。
【図面の簡単な説明】
【００４８】
【図１ａ】風力タービンを示した図である。
【図１ｂ】本発明の実施形態による風力タービン塔を示した図である。
【図１ｃ】２つの塔のセクションの接合を示した図である。
【図２ａ】本発明の好ましい実施形態による懸架ユニットを示した図である。
【図２ｂ】本発明の好ましい実施形態による懸架ユニットを示した図である。
【図２ｃ】本発明の別の実施形態による懸架ユニットを示した図である。
【図２ｄ】本発明の別の実施形態による懸架ユニットを示した図である。
【図３】本発明の実施形態による風力タービン塔内のはしごの固定を示した図である。
【図４】本発明の１実施形態による懸架ユニットと取付具との組立を示した図である。
【図５ａ】本発明による別の懸架ユニットを示した図である。
【図５ｂ】本発明による別の懸架ユニットを示した図である。
【図６ａ】本発明の１実施形態による適応可能な付属装置の主な力の方向を示した図である。
【図６ｂ】本発明の１実施形態による適応可能な付属装置の主な力の方向を示した図である。
【図７ａ】永久磁性材料の特性を示した図である。
【図７ｂ】永久磁性材料の特性を示した図である。
【図８】各種永久磁石材料の幾つかの特性を示した図である。
【符号の説明】
【００４９】
１２、１３、１４    錐体塔セクション        
２０    懸架ユニット
３０    内側表面
３１    上方の機械式掛け具
３２    下方の機械式掛け具
１１３    はしご    
１３１    下方の機械的取付領域
１３２    上方の機械的取付領域
【図１ａ】
2005517124.tif 000003
【図１ｂ】
2005517124.tif 000004
【図１ｃ】
2005517124.tif 000005
【図２ａ】
2005517124.tif 000006
【図２ｂ】
2005517124.tif 000007
【図２ｃ】
2005517124.tif 000008
【図２ｄ】
2005517124.tif 000009
【図３】
2005517124.tif 000010
【図４】
2005517124.tif 000011
【図５ａ】
2005517124.tif 000012
【図５ｂ】
2005517124.tif 000013
【図６ａ】
2005517124.tif 000014
【図６ｂ】
2005517124.tif 000015
【図７ａ】
2005517124.tif 000016
【図７ｂ】
2005517124.tif 000017
【図８】
2005517124.tif 000018
【手続補正書】
【提出日】平成15年12月20日(2003.12.20)
【手続補正１】
【補正対象書類名】特許請求の範囲
【補正対象項目名】全文
【補正方法】変更
【補正の内容】
【特許請求の範囲】
【請求項１】
風力タービン塔（１０、１１、１２、１３、１４）に要素を装着する方法において、該要素は磁気吸引力により部分的にあるいは完全に風力タービン塔（１０、１１、１２、１３、１４）に取り付けられる方法。
【請求項２】
請求項１に記載の風力タービン塔に要素を装着する方法において、前記磁気吸引力は、永久磁石材料が他の磁性材料と相互作用することにより確立する方法。
【請求項３】
請求項１または２に記載の風力タービン塔に要素を装着する方法において、前記磁気吸引力は懸架ユニット（２０；６０）に含まれる永久磁石材料により確立し、永久磁石材料は風力タービン塔の少なくとも一部を形成する他の磁性材料と相互作用する方法。
【請求項４】
請求項１乃至３のいずれかに記載の風力タービン塔に要素を装着する方法において、前記磁気吸引力は少なくとも一方向において機械的固定により補強される方法。
【請求項５】
請求項１乃至４のいずれかに記載の風力タービン塔に要素を装着する方法において、少なくとも一方向における前記機械的固定は、固定領域（３１、３２）への機械的固定により確立され、該固定領域は風力タービン塔の鉛直方向に互いから一定の間隔を置いて配設される方法。
【請求項６】
請求項１乃至５のいずれかに記載の風力タービン塔に要素を装着する方法において、少なくとも一方向における前記機械的固定は固定領域（３１、３２）への機械的固定により確立され、該固定領域は風力タービン塔の鉛直方向に互いから一定の間隔を置いて配設され、該間隔は風力タービン塔のセクション（１１、１２、１３、１４）のほぼ鉛直の長さである方法。
【請求項７】
請求項１乃至６のいずれかに記載の風力タービン塔に要素を装着する方法において、前記固定領域は、風力タービン塔のセクション（１１、１２、１３、１４）を接合するようにされたフランジ（１３１、１４２）を含むことを特徴とする方法。
【請求項８】
請求項１乃至７のいずれかに記載の風力タービン塔に要素を装着する方法において、該要素ははしご、またははしごの一部を含む方法。
【請求項９】
請求項１乃至８のいずれかに記載の風力タービン塔に要素を装着する方法において、該要素は、ケーブルまたはケーブルの一部を含む方法。
【請求項１０】
請求項１乃至９のいずれかに記載の風力タービン塔に要素を装着する方法において、該要素は照明手段を含む方法。
【請求項１１】
請求項１乃至１０のいずれかに記載の風力タービン塔に要素を装着する方法において、該要素は風力タービン塔の内部で必要とされる要素を含む方法。
【請求項１２】
請求項１乃至１１のいずれかに記載の風力タービン塔に要素を装着する方法において、該要素は少なくとも１つの風力塔の懸架ユニット（２０；６０）を使って懸架される方法。
【請求項１３】
請求項１乃至１２のいずれかに記載の風力タービン塔に要素を装着する方法において、前記風力タービン塔の懸架ユニット（２０；６０）は磁気的取付手段（２４）を含む方法。
【請求項１４】
請求項１乃至１３のいずれかに記載の風力タービン塔に要素を装着する方法において、前記磁気的取付手段（２４）は永久磁石材料を含む方法。
【請求項１５】
請求項１乃至１４のいずれかに記載の風力タービン塔に要素を装着する方法において、前記永久磁石材料は永久ネオジム磁石を含む方法。
【請求項１６】
請求項１乃至１５のいずれかに記載の風力タービン塔に要素を装着する方法において、前記永久磁石材料は永久サマリウム−コバルト磁石を含む方法。
【請求項１７】
請求項１乃至１６のいずれかに記載の風力タービン塔に要素を装着する方法において、前記風力タービン塔の懸架ユニット（２０；６０）は機械的固定手段（２２；６２）を備える方法。
【請求項１８】
請求項１乃至１７のいずれかに記載の風力タービン塔に要素を装着する方法において、前記風力タービン塔の懸架ユニット（２０；６０）は、前記磁気的取付手段（２４）を完全にあるいは部分的に包封する少なくとも１つの隔壁（２３）を備える方法。
【請求項１９】
請求項１乃至１８のいずれかに記載の風力タービン塔に要素を装着する方法において、前記隔壁（２３）は磁気手段（２４）への湿度の侵入をする方法。
【請求項２０】
請求項１乃至１９のいずれかに記載の風力タービン塔に要素を装着する方法において、前記ユニットは少なくとも一つの第１の方向の機械的引力を受け止める手段と、少なくとも一つの他の方向の磁気吸引力を確立させる手段とを具備し、該少なくとも一つの他の方向は該少なくとも一つの第１の方向に対してほぼ垂直である方法。
【請求項２１】
請求項１乃至２０のいずれかに記載の風力タービン塔に要素を装着する方法において、前記ユニットははしご固定手段を備え、本発明のさらに有利な実施形態が得られる方法。
【請求項２２】
請求項１乃至２１のいずれかに記載の風力タービン塔に要素を装着する方法において、前記ユニットは踊り場固定手段を備え、本発明のさらに有利な実施形態が得られる方法。
【請求項２３】
請求項１乃至２２のいずれかに記載の風力タービン塔に要素を装着する方法において、前記ユニットはケーブル固定手段を備え、本発明のさらに有利な実施形態が得られる方法。
【請求項２４】
請求項１乃至２３のいずれかに記載の風力タービン塔に要素を装着する方法において、前記ユニットは照明手段を備え、本発明のさらに有利な実施形態が得られる方法。
【請求項２５】
請求項１乃至２４のいずれかに記載の懸架ユニットを装着する方法において、該ユニットはコンピュータ制御の位置決めシステムにより少なくとも１つの風力タービン塔部分に取り付けられる方法。
【請求項２６】
風力タービン塔の懸架ユニット（２０；６０）であって、磁気的取り付け手段を（２４）を有し、該風力タービン塔の懸架ユニット（２０）は、該磁気的取付け手段（２４）を完全にあるいは部分的に包封する少なくとも一つの隔壁（２３）を含む、懸架ユニット
【請求項２７】
請求項２６に記載の風力タービン塔の懸架ユニット（２０；６０）において、前記磁気的取付手段（２４）は永久磁石材料を含む懸架ユニット。
【請求項２８】
請求項２６または２７に記載の風力タービン塔の懸架ユニット（２０；６０）において、前記永久磁石材料は永久ネオジム磁石を含む懸架ユニット。
【請求項２９】
請求項２６乃至２８のいずれかに記載の風力タービン塔の懸架ユニット（２０；６０）において、前記永久磁石材料は永久サマリウム−コバルト磁石を含む懸架ユニット。
【請求項３０】
請求項２６乃至２９のいずれかに記載の風力タービン塔の懸架ユニット（２０；６０）において、該風力タービン塔の懸架ユニット（２０；６０）は機械的固定手段（２２；６２）を備える懸架ユニット。
【請求項３１】
請求項２６乃至３０のいずれかに記載の風力タービン塔の懸架ユニット（２０；６０）において、前記隔壁（２３）は磁気手段（２４）へ湿度が侵入しないようにする懸架ユニット。
【請求項３２】
請求項２６乃至３１のいずれかに記載の風力タービン塔の懸架ユニット（２０；６０）において、該ユニットは少なくとも一つの第１の方向における機械的引力を受ける手段と、少なくとも一つの他の方向の磁気吸引力を確立させる手段とを含み、該少なくとも一つの他の方向は該少なくとも一つの第１の方向に対してほぼ垂直である懸架ユニット。
【請求項３３】
請求項２６乃至３２のいずれかに記載の風力タービン塔の懸架ユニット（２０；６０）において、該ユニットははしご固定手段を備え、本発明のさらに有利な実施形態が得られる懸架ユニット。
【請求項３４】
請求項２６乃至３２のいずれかに記載の風力タービン塔の懸架ユニット（２０；６０）において、該ユニットは踊り場固定手段を備え、本発明のさらに有利な実施形態が得られる懸架ユニット。
【請求項３５】
請求項２６乃至３２のいずれかに記載の風力タービン塔の懸架ユニット（２０；６０）において、該ユニットはケーブル固定手段を備え、本発明のさらに有利な実施形態が得られる懸架ユニット。
【請求項３６】
請求項２６乃至３２のいずれかに記載の風力タービン塔の懸架ユニット（２０；６０）において、該ユニットは照明手段を備え、本発明のさらに有利な実施形態が得られる懸架ユニット。
【請求項３７】
風力タービン塔の相互に取付可能な部材からなるシステムであって、該システムは、少なくとも一つの磁性の風力タービン塔部分と、少なくとも一つの懸架ユニット（２０；６０）を備え、該少なくとも一つの懸架ユニット（２０；６０）は、少なくとも一つの永久磁石部分（２４）を含み、該永久磁石部分（２４）は少なくとも一つの懸架ユニット（２０；６０）を該少なくとも一つの風力タービン塔部分へ取付けることを容易にする、システム
【請求項３８】
請求項３７に記載のシステムにおいて、前記少なくとも１つの磁性風力タービン塔部分は塔（１１、１２、１３、１４；１０）を構成するシステム。
【請求項３９】
請求項３７または３８に記載のシステムにおいて、前記風力タービン塔部分は磁性材料である磁性鋼により構成されるシステム。
【請求項４０】
請求項３７乃至３９のいずれかに記載のシステムにおいて、前記少なくとも１つの永久磁石部分（２４）はネオジム磁石材料かサマリウム−コバルト磁石材料かを含むシステム。
【請求項４１】
請求項３７乃至４０のいずれかに記載のシステムにおいて、該システムは、請求項２６乃至３８のいずれかに記載の少なくとも１つの懸架ユニット（２０；６０）を備えるシステム。
【請求項４２】
請求項３７乃至４１のいずれかに記載のシステムにおいて、前記塔は少なくとも２つの塔セクション（１１、１２、１３、１４）を含むシステム。
【請求項４３】
請求項３７乃至４２のいずれかに記載のシステムにおいて、少なくとも１つの前記塔セクションは機械的取付領域（１３１、１４２）を含み、機械的取付領域（１３１、１４２）は該少なくとも１つの塔セクションの上方及び下方部位に配設されるシステム。
【請求項４４】
請求項３７乃至４３のいずれかに記載のシステムにおいて、少なくとも１つの前記機械的取付領域（１３１、１４２）は、少なくとも１つの懸架ユニット（２０；６０）の機械的取付けと、該少なくとも１つの前記機械的取付領域（１３１、１４２）への懸架とを促進するシステム。
【請求項４５】
請求項３７乃至４４のいずれかに記載のシステムにおいて、少なくとも２つの前記機械的取付領域（１３１、１４２）は、少なくとも１つの懸架ユニット（２０；６０）の機械的取付と、該少なくとも２つの前記機械的取付領域（１３１、１４２）間における懸架とを促進するシステム。
【手続補正書】
【提出日】平成16年12月2日(2004.12.2)
【手続補正１】
【補正対象書類名】特許請求の範囲
【補正対象項目名】請求項４１
【補正方法】変更
【補正の内容】
【請求項４１】
請求項３７乃至４０のいずれかに記載のシステムにおいて、該システムは、請求項２６乃至３６のいずれかに記載の少なくとも１つの懸架ユニット（２０；６０）を備えるシステム
【手続補正２】
【補正対象書類名】明細書
【補正対象項目名】００３８
【補正方法】変更
【補正の内容】
【００３８】
図示した実施形態によれば、鉛直の機械的応力が塔への従来の機械的取付、例えば溶接及び／またはボルト止めにより主として生じ、はしご１１３の固定は主に塔セクション１３の内側表面３０への磁気的固定により得られる。
懸架ユニット２０の鉛直方向の間隔は例えば０．５ｍと４ｍの間でもよいが、固定の要件による。
好ましい鉛直方向の間隔は１．５乃至２．３ｍである。
本発明による懸架ユニットは、図示したはしご以外にその他幾多の内部構成要素の固定にも応用できることは明らかである。
【手続補正３】
【補正対象書類名】図面
【補正対象項目名】図１ｂ
【補正方法】変更
【補正の内容】
【図１ｂ】
2005517124.tif 000019
【国際調査報告】
2005517124.tif 000020
2005517124.tif 000021